(57)【要約】      （修正有）【課題】ペダルを注液ノズルに対して前後方向に着脱可能にすることで、様々な操作方法が可能な足踏み式消毒供給装置を提供する。【解決手段】ベースに立設する支柱とスライドを行う支柱の両方に、ピン孔とガイドピンが上下するための長溝孔と、ガイドピン２ｅとを組み合わせた構造を有する支柱部と、支柱部の下部に、ガイドピンを取り付けるためのフック形状の溝を具備した着脱式の取り付け部により足踏み式ペダル４が具備されており、足踏み式ペダルは、消毒ボトルの載置方向を前方として、支柱の前方もしくは後方の何れか一方側に設置される。ピン孔と長溝孔を有するコの字形状の支柱とスライド支柱２ｃがガイドピンを組み合わせた支柱構造を有し、下部のガイドピンに連結されたペダルを踏み込むことでスライド支柱に連結されたスライドヘッドが消毒ボトルの操作ヘッド５ａを押圧しノズルから消毒液が注液される。【選択図】図４
0003231458.tif 000002
【実用新案登録請求の範囲】
【請求項１】
足踏み動作により消毒液を注液する供給装置の支柱に対してペダルを注液ノズルの前後方向に着脱が容易であることを特徴とする装置。
【請求項２】
コの字形状の固定する支柱とスライドを行う支柱を有する簡易的な駆動機構でスライド動作を行うことを特徴とする請求項１記載の足踏み式消毒液供給装置。
【考案の詳細な説明】
【技術分野】
【０００１】本考案は、感染症予防のために様々な施設に設置される足踏み式消毒液供給装置に関する。
【背景技術】
【０００２】近年、感染症対策等のためにオフィスや商業施設等の様々な場所に消毒液ボトルが設置されている。従来では机等の上に消毒液ボトルを載置しただけで、不特定多数の人がボトルの操作部に触れるため消毒を躊躇する人も多く見受けられる。【０００３】そのため、近年では足踏み操作で消毒液の注液が可能な装置が多く開発されている。しかし従来の装置では注液ノズルと操作者が正対し、足踏みペダルが前方に配置されているため、幼児や身体に不自由がある人が消毒を行うことは困難である。【０００４】こうした装置ではペダルが前方にあるため、介助等を行う第三者が足踏み式消毒液供給装置（以下では足踏み式装置と記載する）を操作する場合、側方から足を延ばしペダルを踏み込む必要があり、不便さがある。
【先行技術文献】
【特許文献】
【０００５】
【特許文献１】特開２０１２−９０７２１
【特許文献２】特開２００８−２２９２９６
【考案の概要】
【考案が解決しようとする課題】
【０００６】本考案は、前述した足踏み式装置が抱えている不便さを解消し、介助等を行う第三者がペダルを操作する事が容易になる装置を提供することを目的とする。
【課題を解決するための手段】
【０００７】本考案にかかる足踏み式装置は以上のような課題を解決するために、足踏み式装置のペダル部が、前後方向に容易に着脱が可能な構造を特徴とする。
【考案の効果】
【０００８】本考案は、以上のような構造であることからペダルを前方に設置すれば従来の足踏み式装置のように操作することが可能であり、後方に設置すれば第三者の足踏み操作が可能になる。【０００９】また、ペダルを後方に設置することで、催事等で集団に消毒処置を行う場合には第三者１名が足踏み操作することで整列した状態で確実な消毒が可能となり、施設内での人の動線の確保が可能になる。【００１０】さらに第三者が足踏み式操作を行う場合、集団の年齢層等によってペダルの踏込を調節することで消毒液の注液量を変化させることができる。
【図面の簡単な説明】
【００１１】
【図１】本考案の一実施形態を示す全体斜視図
【図２】本考案の支柱部を示す分解斜視図
【図３】本考案の支柱部を示す斜視図
【図４】本考案のペダル操作方法を示す一部を省略した拡大図
【図５】本考案のペダルを前後方向取り付けた状態の要部を示す側面図
【考案を実施するための形態】
【００１２】以下、本考案の一実施形態である足踏み式消毒液供給装置の構造を示す。
【００１３】本実施形態は、図１に示すように、自立するスタンドタイプの供給装置の事を示し、主にベース１と動作機構を具備した支柱部２、ボトルホルダ３、ペダル４、消毒ボトル５で構成される。
【００１４】動作機構は、図２至図３に示すようにベース１に固定をするコの字形状の支柱２ａとスライドヘッド２ｂを固定したコの字形状のスライド支柱２ｃを組み合わせた構造になっており、両支柱のピン孔と長溝孔にガイドピン２ｄ、２ｅが挿入されスライド駆動をする簡易的な構造となっている。
【００１５】また図４に示すようにペダル４を踏み込むことで、ガイドピン２ｅを介したスライド支柱２ｃが下方向にスライドする。スライドヘッド２ｂがスライド支柱２ｃに固定されているため、消毒ボトル５の操作ヘッド５ａが押圧され、ノズルから消毒液が注液される。
【００１６】このような構造から図５に示すようにペダル４の取り付け部が、フック形状であるため支柱部２に対して容易に、ペダル４の前後方向への着脱が可能になる。
【符号の説明】
【００１７】２    支柱部
２ａ  支柱
２ｃ  スライド支柱
４    ペダル
【図１】
0003231458.tif 000003
【図２】
0003231458.tif 000004
【図３】
0003231458.tif 000005
【図４】
0003231458.tif 000006
【図５】
0003231458.tif 000007
【手続補正書】
【提出日】令和2年10月26日(2020.10.26)
【手続補正１】
【補正対象書類名】実用新案登録請求の範囲
【補正対象項目名】全文
【補正方法】変更
【補正の内容】
【実用新案登録請求の範囲】
【請求項１】
ベースに立設する支柱とスライドを行う支柱の両方にピン孔とピンが上下する長溝孔が設けられ、ガイドピンを組み合わせた構造を有する支柱部下部のガイドピンに対して、取り付け部がフック形状の溝を具備し、消毒ボトルの載置方向を前方として、前記支柱の前後方向で足踏み式ペダルが着脱できる足踏み式消毒液供給装置。
【請求項２】
ピン孔と長溝孔を有するコの字形状の支柱とスライド支柱がガイドピンを組み合わせた支柱構造を有し、下部のガイドピンに連結されたペダルを踏み込むことでスライド支柱に連結されたスライドヘッドが消毒ボトルの操作ヘッドを押圧しノズルから消毒液が注液される簡易的な構造を特徴とする請求項１記載の足踏み式消毒液供給装置。
【手続補正書】
【提出日】令和2年12月21日(2020.12.21)
【手続補正１】
【補正対象書類名】実用新案登録請求の範囲
【補正対象項目名】全文
【補正方法】変更
【補正の内容】
【実用新案登録請求の範囲】
【請求項１】
ベースに立設する支柱とスライドを行う支柱の両方に、ピン孔とガイドピンが上下するための長溝孔と、ガイドピンとを組み合わせた構造を有する支柱部と、前記支柱部の下部に、前記ガイドピンを取り付けるためのフック形状の溝を具備した着脱式の取り付け部により足踏み式ペダルが具備されており、前記足踏み式ペダルは、消毒ボトルの載置方向を前方として、前記支柱の前方もしくは後方の何れか一方側に設置される、足踏み式消毒液供給装置。
【請求項２】
ピン孔と長溝孔を有するコの字形状の支柱とスライド支柱がガイドピンを組み合わせた支柱構造を有し、下部のガイドピンに連結されたペダルを踏み込むことでスライド支柱に連結されたスライドヘッドが消毒ボトルの操作ヘッドを押圧しノズルから消毒液が注液される簡易的な構造を特徴とする請求項１記載の足踏み式消毒液供給装置。